【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
画質調整項目と調整の順序を示す情報を記憶しており、ユーザからの調整開始の指示に従って、予め定められた調整の順序で予め定められた画質調整項目についての調整の実行を指示する調整制御部と、
調整の実行が指示された画質調整項目に応じて、入力画像を縮小し、又は入力画像の一部を切り出し、縮小又は切出しの結果得られた画像を複製することで生成された複数の画像を、画面上に並べて配置される複数の子画面に表示される画像として出力するフォーマット変換部と、
前記フォーマット変換部から出力された前記複数の子画面に表示される画像に対して、互いに異なる条件で画質補正を施して、複数の画質補正後の画像を前記複数の子画面に表示するための映像信号を生成する画質補正部と、
前記異なる条件での画質補正の結果得られた、前記複数の画質補正後の画像と、グラフィカルユーザインターフェース部品とを合成し、合成の結果得られた画像を出力画面に表示させる画面合成部とを備え、
前記グラフィカルユーザインターフェース部品は、前記複数の画質補正後の画像のうちのいずれかをユーザに選択させるためのものであり、
前記調整制御部は、各画質調整項目について、前記画質補正部に、前記互いに異なる条件で画質補正を行わせ、
各画質調整項目についての調整を行う際に、前記複数の画質補正後の画像を前記出力画面に表示させることで、ユーザが前記複数の画質補正後の画像を目視で確認すること、及び確認の結果に基づきユーザが前記グラフィカルユーザインターフェース部品を用いて画質補正後の画像を選択することを可能にし、
各画質調整項目について、ユーザにより選択された画質補正後の画像の生成に用いられた画質補正の条件を設定値として記憶し、
前記複数の画質調整項目について、前記画質補正後の画像の確認及び前記選択を順次行わせることで、当該ユーザにとって最適な、画質調整された表示画像を得ることを特徴とする映像表示装置。
【請求項２】
前記調整制御部は、任意の画質調整項目についての調整を行う際に、画質補正に用いられる画質補正条件を表す画質補正パラメータの数が、前記出力画面に表示される子画面の数よりも多い場合には、前記画質補正パラメータのうちの、前記子画面の数に等しい数の補正パラメータであって、相互間の差が第１の値となるものを選択して、選択された補正パラメータを用いて画質補正を行うことで生成された画像を、前記出力画面内のそれぞれの子画面で表示させ、
前記出力画面内の位置が、画質補正で用いられる補正パラメータの値に関係付けられており、かつ、各子画面は、当該子画面で表示される画像の生成に用いられた補正パラメータの値に関係付けられた前記出力画面内の位置に配置され、
ユーザが、前記画質補正後の画像の子画面での表示に応じて、前記出力画面内の子画面の表示位置に関連付けられた位置を指定することで、補正パラメータを選択することを可能にし、
ユーザによる補正パラメータの選択に当たっては、子画面の表示位置のみならず、子画面の表示位置以外の前記出力画面内の任意の位置も指定可能であり、
複数の子画面が表示された状態で、ユーザによって前記出力画面内の位置が指定されると、指定された位置に関係付けられた補正パラメータ及びそれに近い補正パラメータであって、相互間の差が前記第１の値よりも小さいものが、次に表示される子画面の画像の生成に用いられる
ことを特徴とする請求項１に記載の映像表示装置。
【請求項３】
入力画像を縮小し、又は入力画像の一部を切り出し、縮小又は切出しの結果得られた画像を複製することで生成された複数の画像を、画面上に並べて配置される複数の子画面に表示される画像として出力するフォーマット変換部と、
前記フォーマット変換部から出力された前記複数の子画面に表示される画像に対して、互いに異なる条件で画質補正を施して、複数の画質補正後の画像を前記複数の子画面に表示するための映像信号を生成する画質補正部と、
前記異なる条件での画質補正の結果得られた、前記複数の画質補正後の画像と、グラフィカルユーザインターフェース部品とを合成し、合成の結果得られた画像を出力画面に表示させる画面合成部とを備え、
前記グラフィカルユーザインターフェース部品は、前記複数の画質補正後の画像のうちのいずれかをユーザに選択させるためのものであり、
前記画質補正部に、前記互いに異なる条件で画質補正を行わせ、前記複数の画質補正後の画像を前記出力画面に表示させることで、ユーザが前記複数の画質補正後の画像を目視で確認すること、及び確認の結果に基づきユーザが前記グラフィカルユーザインターフェース部品を用いて画質補正後の画像を選択することを可能にする調整制御部をさらに備え、
前記調整制御部は、画質補正に用いられる画質補正条件を表す画質補正パラメータの数が、前記出力画面に表示される子画面の数よりも多い場合には、前記画質補正パラメータのうちの、前記子画面の数に等しい数の補正パラメータであって、相互間の差が第１の値となるものを選択して、選択された補正パラメータを用いて画質補正を行うことで生成された画像を、前記出力画面内のそれぞれの子画面で表示させ、
前記出力画面内の位置が、画質補正で用いられる補正パラメータの値に関係付けられており、かつ、各子画面は、当該子画面で表示される画像の生成に用いられた補正パラメータの値に関係付けられた前記出力画面内の位置に配置され、
ユーザが、前記画質補正後の画像の子画面での表示に応じて、前記出力画面内の子画面の表示位置に関連付けられた位置を指定することで、補正パラメータを選択することを可能にし、
ユーザによる補正パラメータの選択に当たっては、子画面の表示位置のみならず、子画面の表示位置以外の前記出力画面内の任意の位置も指定可能であり、
複数の子画面が表示された状態で、ユーザによって前記出力画面内の位置が指定されると、指定された位置に関係付けられた補正パラメータ及びそれに近い補正パラメータであって、相互間の差が前記第１の値よりも小さいものが、次に表示される子画面の画像の生成に用いられる
ことを特徴とする映像表示装置。
【手続補正２】
【補正対象書類名】明細書
【補正対象項目名】０００６
【補正方法】変更
【補正の内容】
【０００６】
この発明の第１の態様に係る映像表示装置は、
画質調整項目と調整の順序を示す情報を記憶しており、ユーザからの調整開始の指示に従って、予め定められた調整の順序で予め定められた画質調整項目についての調整の実行を指示する調整制御部と、
調整の実行が指示された画質調整項目に応じて、入力画像を縮小し、又は入力画像の一部を切り出し、縮小又は切出しの結果得られた画像を複製することで生成された複数の画像を、画面上に並べて配置される複数の子画面に表示される画像として出力するフォーマット変換部と、
前記フォーマット変換部から出力された前記複数の子画面に表示される画像に対して、互いに異なる条件で画質補正を施して、複数の画質補正後の画像を前記複数の子画面に表示するための映像信号を生成する画質補正部と、
前記異なる条件での画質補正の結果得られた、前記複数の画質補正後の画像と、グラフィカルユーザインターフェース部品とを合成し、合成の結果得られた画像を出力画面に表示させる画面合成部とを備え、
前記グラフィカルユーザインターフェース部品は、前記複数の画質補正後の画像のうちのいずれかをユーザに選択させるためのものであり、
前記調整制御部は、各画質調整項目について、前記画質補正部に、前記互いに異なる条件で画質補正を行わせ、
各画質調整項目についての調整を行う際に、前記複数の画質補正後の画像を前記出力画面に表示させることで、ユーザが前記複数の画質補正後の画像を目視で確認すること、及び確認の結果に基づきユーザが前記グラフィカルユーザインターフェース部品を用いて画質補正後の画像を選択することを可能にし、
各画質調整項目について、ユーザにより選択された画質補正後の画像の生成に用いられた画質補正の条件を設定値として記憶し、
前記複数の画質調整項目について、前記画質補正後の画像の確認及び前記選択を順次行わせることで、当該ユーザにとって最適な、画質調整された表示画像を得ることを特徴とする。
この発明の第２の態様に係る映像表示装置は、
入力画像を縮小し、又は入力画像の一部を切り出し、縮小又は切出しの結果得られた画像を複製することで生成された複数の画像を、画面上に並べて配置される複数の子画面に表示される画像として出力するフォーマット変換部と、
前記フォーマット変換部から出力された前記複数の子画面に表示される画像に対して、互いに異なる条件で画質補正を施して、複数の画質補正後の画像を前記複数の子画面に表示するための映像信号を生成する画質補正部と、
前記異なる条件での画質補正の結果得られた、前記複数の画質補正後の画像と、グラフィカルユーザインターフェース部品とを合成し、合成の結果得られた画像を出力画面に表示させる画面合成部とを備え、
前記グラフィカルユーザインターフェース部品は、前記複数の画質補正後の画像のうちのいずれかをユーザに選択させるためのものであり、
前記画質補正部に、前記互いに異なる条件で画質補正を行わせ、前記複数の画質補正後の画像を前記出力画面に表示させることで、ユーザが前記複数の画質補正後の画像を目視で確認すること、及び確認の結果に基づきユーザが前記グラフィカルユーザインターフェース部品を用いて画質補正後の画像を選択することを可能にする調整制御部をさらに備え、
前記調整制御部は、画質補正に用いられる画質補正条件を表す画質補正パラメータの数が、前記出力画面に表示される子画面の数よりも多い場合には、前記画質補正パラメータのうちの、前記子画面の数に等しい数の補正パラメータであって、相互間の差が第１の値となるものを選択して、選択された補正パラメータを用いて画質補正を行うことで生成された画像を、前記出力画面内のそれぞれの子画面で表示させ、
前記出力画面内の位置が、画質補正で用いられる補正パラメータの値に関係付けられており、かつ、各子画面は、当該子画面で表示される画像の生成に用いられた補正パラメータの値に関係付けられた前記出力画面内の位置に配置され、
ユーザが、前記画質補正後の画像の子画面での表示に応じて、前記出力画面内の子画面の表示位置に関連付けられた位置を指定することで、補正パラメータを選択することを可能にし、
ユーザによる補正パラメータの選択に当たっては、子画面の表示位置のみならず、子画面の表示位置以外の前記出力画面内の任意の位置も指定可能であり、
複数の子画面が表示された状態で、ユーザによって前記出力画面内の位置が指定されると、指定された位置に関係付けられた補正パラメータ及びそれに近い補正パラメータであって、相互間の差が前記第１の値よりも小さいものが、次に表示される子画面の画像の生成に用いられる
ことを特徴とする。